(57)【特許請求の範囲】
【請求項１】
１３，０００〜２５，０００のＭｎを有する水可溶性の疎水変性セルロース性ポリマーを０．１重量％〜０．３重量％の濃度で含む、透明な食器洗い液体洗剤組成物であって、前記ポリマーは水性媒体中に溶解しており、前記液体洗剤組成物は３００ｃｐ〜１１００ｃｐの粘度を有し、
前記疎水変性セルロース性ポリマーが、以下の式、
【化１】
0005555182.tif 000010
の非イオン性疎水変性セルロース性ポリマーであって、
式中、重合度ｎは５０〜２４０の範囲の整数であり、Ｒ1及びＲ2はアルキル、ヒドロキシアルキル、又はアルキル及びヒドロキシアルキルの混合置換基を表し、Ｒ3は水素、アルキル、ヒドロキシアルキル、又はアルキル及びヒドロキシアルキルの混合置換基を表し、
前記各アルキル基は独立して、メチル、エチル、プロピル、ブチル、及びこれらの混合物からなる群から選択され、
前記各ヒドロキシアルキル基は独立して、ヒドロキシメチル、ヒドロキシエチル、ヒドロキシプロピル、ヒドロキシブチル、及びこれらの混合物からなる群から選択され、
前記疎水変性セルロース性ポリマーが、メチルセルロース、ヒドロキシプロピルメチルセルロース、ヒドロキシエチルメチルセルロース、及びこれらの混合物からなる群から選択され、
前記液体洗剤組成物は、３重量％〜１０重量％のアミン・オキシドを含み、前記液体洗剤組成物は、Ｃ10〜Ｃ14アルキル若しくはヒドロキシアルキルのサルフェート又はスルホネート及びこれらの混合物からなる群から選択されるアニオン性界面活性剤を、前記液体洗剤組成物の１５重量％〜４０重量％含み、３０％〜８０％の水を含有し、透明であり、６〜１０のｐＨを有し、且つ
前記液体洗剤組成物は、更に１〜２５モルのエチレンオキシドを有するＣ8〜Ｃ22脂肪族アルコール、アルキルポリグリコシド、脂肪酸アミド界面活性剤、及びこれらの混合物からなる群から選択される非イオン性界面活性剤を、前記液体洗剤組成物の０．１重量％〜２０重量％含むことを特徴とする液体洗剤組成物。
【請求項２】
前記ヒドロキシアルキル基がヒドロキシプロピルであり、前記アルキル基がメチルであることを特徴とする請求項１に記載の液体洗剤組成物。
【請求項３】
食器を洗浄する方法であって、前記請求項１又は２に記載の液体洗剤組成物を用いて、
（ａ）０．０１ｍＬ〜１５０ｍＬの前記液体洗剤組成物を２０００ｍＬ〜２００００ｍＬの水中に希釈する工程と、
（ｂ）前記工程で得られた希釈組成物に食器を浸漬する工程と、及び
（ｃ）前記食器の汚れた表面を布、スポンジ、又は類似の物品と接触させることによって清浄する工程とからなる方法。
【請求項４】
食器を洗浄する方法であって、
（ａ）前記食器を水浴中に浸漬するか流水下に保持する工程と、
（ｂ）請求項１又は２に記載の液体洗剤組成物の有効量を道具に吸収させる工程と、及び
（ｃ）前記吸収された液体洗剤組成物を有する前記道具を前記汚れた食器のそれぞれの表面に個々に接触させる工程とからなる方法。
【発明の詳細な説明】
【技術分野】
【０００１】
本発明は、起泡性の改善をもたらすために、低分子量の疎水変性セルロース性ポリマーを含む軽質液体洗剤組成物に関する。
【背景技術】
【０００２】
軽質液体食器洗い洗剤組成物は、グリース洗浄をもたらしながら、高い泡立ち特性が必要とされる。このことは、消費者が、泡を洗剤組成物の性能の目安として利用するので、液体食器洗い洗剤組成物に関して特に重要である。更に、液体食器洗い洗剤組成物の消費者はまた、泡立ち特性及び泡の外観（密度、白さ）を、洗浄溶液がまだ活性洗剤成分を含んでいることを表すものとして用いる。消費者は通常、発泡能力によって食器洗い液体を投与し、泡立ちが低下する又は泡が十分濃厚でないように見えると、洗浄液を新しくする。したがって、泡をほとんど発生させない又は低密度の泡を発生させる液体食器洗い洗剤組成物は、必要以上に頻繁に消費者により取り替えられる傾向がある。したがって、商業的に成功している軽質液体食器洗い組成物は、手作業で食器洗いをしている間、良好な泡高、濃度、及び良好な発泡期間を示す必要がある。
【０００３】
セルロース性ポリマーなどの天然ポリマーは、液体洗浄性組成物のレオロジー改質剤として一般に使用される。例えば、国際特許公開第２００７／１１９２２６号は、粘土とアニオン性ポリマー又はセルロース性ポリマーとの組み合わせを含む、洗浄性組成物のためのレオロジー改質系を開示している。
【先行技術文献】
【特許文献】
【０００４】
【特許文献１】国際特許公開第２００７／１１９２２６号
【発明の概要】
【発明が解決しようとする課題】
【０００５】
意外にも、軽質液体食器洗い組成物中の低分子量の疎水変性セルロース性ポリマーの製剤が、泡の有用性及び泡密度を増大させることがわかった。
【０００６】
更に、本発明の軽質液体食器洗い組成物が、（特に、より困難な焼きついた油層上の）油洗浄を改善することがわかった。
【課題を解決するための手段】
【０００７】
本出願は、Ｍｎが４５，０００未満の疎水変性セルロース性ポリマーを含む液体洗剤組成物に関する。
【０００８】
別の実施形態では、本発明は、泡立ち特性、特に初期の泡立ち、泡の有用性及び泡密度を改善するための、液体洗剤組成物中での疎水変性セルロース性ポリマーの使用を包含する。
【発明を実施するための形態】
【０００９】
本明細書で使用するとき、「泡立ち特性」は、本発明の組成物の液体洗剤組成物の使用によりもたらされる、洗浄プロセスの全体を通した泡立ちの量（多い又は少ない）及び泡立ちの一貫性（持続的又は防止）を意味する。液体食器洗い洗剤組成物は、高い泡立ち及び持続的な泡立ちを必要とする。
【００１０】
本明細書で使用するとき、「食器類」は、セラミック、陶器、金属、ガラス、プラスチック（ポリエチレン、ポリプロピレン、ポリスチレンなど）及び木で作製された食器、グラス、深鍋、鍋、焼き皿及び食卓食器などの表面を意味する。
【００１１】
本明細書で使用するとき、「軽質液体食器洗い洗剤組成物」は、手動で（すなわち手で）食器を洗う際に用いる組成物を指す。このような組成物は一般的には、本来起泡性又は発泡性が高い。
【００１２】
本明細書で使用するとき、「洗浄」とは、洗浄、及び／又は消毒のために表面に適用することを意味する。
【００１３】
本明細書で使用するとき、「グリース」とは、少なくとも一部（すなわち、グリースの少なくとも０．５重量％）に、飽和及び不飽和の油脂、好ましくは牛肉及び／又は鶏肉のような動物性原料に由来する油脂を含む物質を意味する。
【００１４】
本明細書で使用するとき、「焼きついた油」は、標準的なオーブン、対流式オーブン、トースターオーブン、電子レンジオーブン、フライパン、中華ナベを用いて加熱するレンジトップ、ホットプレート、電気グリドル、又は調理中に食品を加熱するために使用される他の既知の調理器具にて、高温に曝された油を含む物質を意味する。
【００１５】
本出願は、Ｍｎが４５，０００未満の疎水変性セルロース性ポリマーを含む軽質液体食器洗い洗剤組成物を目的とする。
【００１６】
意外にも、本発明の組成物中の疎水変性セルロース性ポリマーは、泡立ちの有用性を改善し、泡の有用性及び総起泡量を増大させることがわかった。これにより、同等の泡有用性の能力を維持すると同時に、界面活性剤の濃度が低減された組成物を配合することができる。
【００１７】
そのような疎水変性セルロース性ポリマーが泡の美観を改善することが更にわかった。疎水変性セルロース性ポリマーは、より高い初期の泡量及び泡密度、並びにより白くより濃厚な泡をもたらす。
【００１８】
最後に、そのような疎水変性セルロース性ポリマーが、油（特に焼きついた油染み及び油汚れ）の優れた洗浄もたらすことがわかった。
【００１９】
疎水変性セルロース性ポリマー
疎水変性セルロース性ポリマーは、４５，０００未満、好ましくは１０，０００〜４０，０００、好ましくは１３，０００〜２５，０００の数平均分子量（ＭＮ）を有する。実に、本発明の目的は、泡立ち特性が改善された液体洗剤組成物を提供することである。そのようなＭｎの疎水変性セルロース性ポリマーは、組成物の粘度に影響を与えずに、優れた泡立ち特性をもたらすことがわかった。そのようなポリマーのＭｎを増加させると、粘度が増大し、組成物をゲルの形態にすることがわかった。これは、加工性及び溶解に関する問題をもたらすであろう。
【００２０】
本発明の組成物は、通常、疎水変性セルロース性ポリマーを総組成物の０．０１重量％〜２重量％、好ましくは０．１重量％〜０．５重量％の濃度で含む。
【００２１】
本発明の疎水変性セルロース性ポリマーとしては、非イオン性及びカチオン性のセルロース誘導体などの水溶性セルロースエーテル誘導体が挙げられる。非イオン性セルロース誘導体が、特に好ましい。セルロース誘導体の基本構造は、以下の式によって図示される。
【００２２】
【化１】
0005555182.tif 000002
式中、重合度ｎは５０〜２４０の範囲の整数である。構造中、Ｒ1、Ｒ2及びＲ3は、以下に説明されるような、アルキル、ヒドロキシアルキル、又はアルキル及びヒドロキシアルキルの混合置換基を表す。有用なアルキル基としては、メチル、エチル、プロピル、ブチル、ペンチル、イソブチル、ヘキシル、ノニルなど、好ましくはメチル、エチル、プロピル、ブチル、より好ましくはメチルが挙げられる。有用なヒドロキシアルキル基としては、ヒドロキシメチル、ヒドロキシエチル、ヒドロキシプロピル、及びヒドロキシブチルが挙げられる。Ｒ3はＨを示し得る。
【００２３】
Ｒ1は好ましくはメチルであり、Ｒ2は好ましくはメチル（図Ａ）又はヒドロキシプロピル（図Ｂ）である。
【００２４】
【化２】
0005555182.tif 000003
【００２５】
環に結合している置換基の平均数により表されるセルロースの無水グルコース単位の置換基の量である置換度は、メトキシル基では０．１〜２．０、好ましくはメトキシル置換度は１．８〜２．０であり、ヒドロキシプロピル基では０〜１．０、好ましくはヒドロキシプロピル置換度は０．２〜０．８であり得る。
【００２６】
セルロース誘導体の好ましい群には、メチルセルロース、ヒドロキシプロピルメチルセルロース、ヒドロキシエチルメチルセルロース、及びこれらの混合物が含まれる。
【００２７】
市販されている例としては、ダウケミカル（Dow Chemical）からのメトセル（Methocel）Ｅ５０  ＰＶＣ及びＥ１９  ＰＶＣ、並びにウォルフセルロシックス（Wolff Cellulosics）からのワロセル（Walocel）が挙げられる。
【００２８】
本発明の組成物に有用であり得るその他のセルロース誘導体としては、疎水性基、典型的には１〜３０個の炭素原子、好ましくは８〜３０個の炭素原子、より好ましくは８〜２２個の炭素原子を含むアルキル基、アルカリル基又はアラルキル基で変性された四級カチオン性セルロースが挙げられる。カチオン性セルロース誘導体の一例を、以下に示す。
【００２９】
【化３】
0005555182.tif 000004
【００３０】
粘度試験方法
本発明の組成物の粘度は、ブルックフィールド（Brookfield）粘度計モデル＃ＬＶＤＶＩＩ＋を用いて２０℃で測定される。これらの測定に使用されるスピンドルは、速度１０ｒｐｍのＳ３１である。本発明の液体洗剤組成物は、好ましくは３，０００ｃｐｓ未満、より好ましくは２，０００未満でありかつ典型的には３００ｃｐｓを超える粘度を有し、好ましくは、組成物の粘度は、３００〜１１００ｃｐｓである。
【００３１】
水性液体キャリア
本明細書の液体洗剤組成物は、３０％〜８０％の水性液体キャリアを更に含有し、その中には、他の必須及び任意の組成物の構成成分が溶解、分散又は懸濁される。より好ましくは、水性液体キャリアは、本明細書の組成物の４５％〜７０％、より好ましくは４５％〜６５％を構成する。
【００３２】
水性液体キャリアの１つの好ましい構成成分は、水である。しかし、水性液体キャリアは、室温（２０℃〜２５℃）で液体であるか又は液体キャリアに溶解する他の物質であって、不活性な充填剤の機能に加えて幾つかの他の機能を果たすことができる物質を含有してもよい。そのような物質としては、例えば、ヒドロトロープ及び溶媒を挙げることができ、以下でより詳細に考察される。本発明の液体洗剤組成物使用の場所によるが、水性液体キャリア中の水は、約２〜３０ｇｐｇ（「ｇｐｇ」は当該技術分野における当業者に周知の水硬度の尺度であり、「１ガロン当りのグレイン」を表す）の硬度レベルを有してよい。
【００３３】
組成物のｐＨ
液体洗剤組成物は、いかなる好適なｐＨを有してもよい。好ましくは、組成物のｐＨは、４〜１４に調整される。より好ましくは、組成物は６〜１３、最も好ましくは６〜１０のｐＨを有する。組成物のｐＨは、当該技術分野で既知のｐＨ調節成分を用いて調整することができる。
【００３４】
洗浄ポリマー
本発明の組成物の、任意であるが好ましい更なる成分は、洗浄ポリマーである。それらのポリマーにより、油洗浄効果が改善され、及び／又は界面活性剤の必要濃度を下げる一方で同等の洗浄能力を得ることができる。それらの例を以下に挙げる。
【００３５】
（ｉ）４００〜１００００の重量平均分子量を有するポリエチレンイミン主鎖を含むアルコキシル化ポリエチレンイミンポリマーであって、（１）１修飾あたり平均約１〜約３０個のアルコキシ部分を有するポリアルコキシレン鎖による窒素原子あたり１つ又は２つのアルコキシル化修飾であって、アルコキシル化修飾の末端アルコキシ部分が水素、Ｃ1〜Ｃ4アルキル、又はこれらの混合物でキャップされている、アルコキシル化修飾、（２）１修飾あたり平均約１〜約４０個のアルコキシ部分を有するポリアルコキシレン鎖による窒素原子あたり１つのＣ1〜Ｃ4アルキル部分の置換及び１つ又は２つのアルコキシル化修飾であって、末端アルコキシ部分が水素、Ｃ1〜Ｃ4アルキル、又はこれらの混合物でキャップされている、置換及びアルコキシル化修飾、あるいは（３）これらの組み合わせを更に含む、アルコキシル化ポリエチレンイミンポリマー。これらは一般に、組成物の０．１重量％〜１０重量％の濃度で含まれる。これらのポリマーは、国際特許公開第２００７／１３５６４５号（本件特許出願人により２００７年５月２１日に国際的に出願）の２ページ３３行目〜７ページ９行目に更に表されている。
【００３６】
（ｉｉ）不飽和Ｃ1〜6酸、エーテル、アルコール、アルデヒド、ケトン又はエステル、糖単位、アルコキシ単位、無水マレイン酸、及びグリセロールのような飽和ポリアルコール、並びにこれらの混合物からなる群から選択されるモノマーを含む親水性主鎖と、Ｃ4〜25アルキル基、ポリプロピレン、ポリブチレン、１〜６個の炭素原子を含有する飽和モノカルボン酸のビニルエステル、アクリル酸又はメタクリル酸のＣ1〜6アルキルエステル、並びにこれらの混合物を含む群から選択される疎水性側鎖と、を有するランダムグラフトコポリマー。これらのポリマーは、本件特許出願人により番号欧州特許第０７１１１４１３．６号で２００７年６月２９日に出願された特許出願の５ページ１２行目〜１６ページに更に表されている。
【００３７】
界面活性剤
本発明の組成物の好ましい更なる成分は、非イオン性、アニオン性、カチオン性界面活性剤、両性、双性イオン性、半極性非イオン性界面活性剤、及びこれらの混合物から選択される界面活性剤である。界面活性剤は、液体洗剤組成物の１．０重量％〜５０重量％、好ましくは５重量％〜４０重量％、より好ましくは２５重量％〜４０重量％、好ましくは３０重量％〜３８重量％の濃度で含むことができる。任意の界面活性剤の非限定例が下記で考察される。
【００３８】
アニオン性界面活性剤
サルフェート又はスルホネート界面活性剤
サルフェート又はスルホネート界面活性剤は、典型的には液体洗剤組成物の少なくとも５重量％、好ましくは５重量％〜４０重量％及びより好ましくは１５重量％〜３０重量％、及び更により好ましくは１５重量％〜２５重量％の濃度で存在する。
【００３９】
本明細書の組成物で使用するにあたって好適なサルフェート又はスルホネート界面活性剤としては、Ｃ10〜Ｃ14アルキル若しくはヒドロキシアルキル、サルフェート又はスルホネートの水溶性塩又は酸が挙げられる。好適な対イオンとしては、水素、アルカリ金属カチオン、又はアンモニウム若しくは置換アンモニウムが挙げられるが、好ましくはナトリウムである。
【００４０】
ヒドロカルビル鎖が分枝状である場合、Ｃ1〜4のアルキル分岐単位を含むことが好ましい。サルフェート又はスルホネート界面活性剤の平均分岐率は、好ましくは、全ヒドロカルビル鎖の３０％超、より好ましくは３５％〜８０％、最も好ましくは４０％〜６０％である。
【００４１】
サルフェート又はスルホネート界面活性剤は、Ｃ11〜Ｃ18アルキルベンゼンスルホネート（ＬＡＳ）、Ｃ8〜Ｃ20第一級分枝鎖及びランダムアルキルサルフェート（ＡＳ）、Ｃ10〜Ｃ18第二級（２，３）アルキルサルフェート、Ｃ10〜Ｃ18アルキルアルコキシサルフェート（ＡＥxＳ）であって、好ましくはｘが１〜３０であるもの、好ましくは１〜５個のエトキシ単位を含む、Ｃ10〜Ｃ18アルキルアルコキシカルボキシレート；米国特許第６，０２０，３０３号及び同第６，０６０，４４３号で考察される中鎖分枝状アルキルサルフェート、同第６，００８，１８１号及び同第６，０２０，３０３号で考察される中鎖分枝状アルキルアルコキシサルフェート、国際特許公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号で考察される変性アルキルベンゼンスルホネート（ＭＬＡＳ）、メチルエステルスルホネート（ＭＥＳ）、並びにα−オレフィンスルホネート（ＡＯＳ）から選択されてよい。
【００４２】
パラフィンスルホネートは、モノスルホネート又はジスルホネートであってもよく、普通はこれらの混合物であり、１０〜２０個の炭素原子を有するパラフィンのスルホネート化により得られる。好ましいスルホネートは、Ｃ１２〜１８の炭素原子鎖を有するものであり、より好ましくはＣ１４〜１７鎖のものである。パラフィン鎖に沿って分布されたスルホネート基を有するパラフィンスルホネートは、米国特許第２，５０３，２８０号、同第２，５０７，０８８号、同第３，２６０，７４４号、同第３，３７２１８８号及び独国特許第７３５０９６号に記載されている。
【００４３】
一般に使用されるアルキルグリセリルスルホネート界面活性剤及び／又はアルキルグリセリルサルフェート界面活性剤は、高モノマー含量（アルキルグリセロールスルホネート界面活性剤の６０重量％超）を有する。本明細書で使用するとき、「オリゴマー」には、ダイマー、トリマー、クアドリマー（quadrimer）、並びにヘプタマーまでのアルキルグリセリルスルホネート界面活性剤及び／又はアルキルグリセリルサルフェート界面活性剤のオリゴマーが挙げられる。モノマー含有量の最少化は、存在するアルキルグリセリルスルホネート界面活性剤及び／又はアルキルグリセリルサルフェート界面活性剤の０重量％〜６０重量％、０重量％〜５５重量％、０重量％〜５０重量％、０重量％〜３０重量％であってよい。本明細書で使用するアルキルグリセリルスルホネート界面活性剤及び／又はアルキルグリセリルサルフェート界面活性剤は、Ｃ10〜40、Ｃ10〜22、Ｃ12〜18、及びＣ16〜18のアルキル鎖長を有する界面活性剤を包含する。アルキル鎖は、分枝状でも直鎖でもよく、存在する場合、分枝は、メチル（Ｃ1）又はエチル（Ｃ2）などのＣ1〜4のアルキル部分を含む。これらの界面活性剤は、本件特許出願人により２００６年４月２０日に公開された国際特許公開第２００６／０４１７４０号の２ページ３２行目〜４ページ２１行目に記載されており、それらの製造方法は、４ページ２２行目〜６ページ３行目に記載されている。アルキルグリセリルサルフェート／スルホネート界面活性剤は、任意に組成物の少なくとも１０重量％、より好ましくは１０重量％〜４０重量％、最も好ましくは１０重量％〜３０重量％の濃度で存在する。
【００４４】
ジアルキルスルホスクシネート。ジアルキルスルホスクシネートは、Ｃ6〜15直鎖又は分枝鎖ジアルキルスルホスクシネートであってよい。アルキル部分は、対称（すなわち、同じアルキル部分）であっても非対称（すなわち、異なるアルキル部分）であってもよい。好ましくは、アルキル部分は対称である。ジアルキルスルホサクシネートは、組成物の０．５重量％〜１０重量％で液体洗剤組成物中に存在してもよい。
【００４５】
非イオン性界面活性剤
組成物に存在する場合、非イオン性界面活性剤は、有効量で、より好ましくは液体洗剤組成物の０．１重量％〜２０重量％で存在する。好適な非イオン性界面活性剤には、脂肪族アルコールと１〜２５モルのエチレンオキシドとの縮合生成物が挙げられる。脂肪族アルコールのアルキル鎖は、直鎖又は分枝状、一級又は二級のいずれであってもよく、一般的には８〜２２個の炭素原子を含有する。１０〜２０個の炭素原子を含有するアルキル基を有するアルコールとアルコール１モルあたり２〜１８モルのエチレンオキシドとの縮合生成物が特に好ましい。式Ｒ2Ｏ（ＣnＨ2nＯ）t（グリコシル）x（式（ＩＩＩ））を有するアルキルポリグリコシドも好適であり、ここで、式（ＩＩＩ）のＲ2は、アルキル、アルキルフェニル、ヒドロキシアルキル、ヒドロキシアルキルフェニル、及びこれらの混合物からなる群から選択され、アルキル基は、１０〜１８個、好ましくは１２〜１４個の炭素原子を含有し、式（ＩＩＩ）のｎは、２又は３、好ましくは２であり、式（ＩＩＩ）のｔは、０〜１０、好ましくは０であり、式（ＩＩＩ）のｘは、１．３〜１０、好ましくは１．３〜３、最も好ましくは１．３〜２．７である。グリコシルは、好ましくはグルコースから誘導される。
【００４６】
式（ＩＶ）を有する脂肪酸アミド界面活性剤もまた好適である。
【００４７】
【化４】
0005555182.tif 000005
式中、式（ＩＶ）のＲ6は、７〜２１個、好ましくは９〜１７個の炭素原子を含有するアルキル基であり、式（ＩＶ）の各Ｒ7は、水素、Ｃ1〜Ｃ4アルキル、Ｃ1〜Ｃ4ヒドロキシアルキル、及び−（Ｃ2Ｈ4０）xＨからなる群から選択され、ここで式（ＩＶ）のｘは、１〜３で変化する。好ましいアミドは、Ｃ8〜Ｃ20アンモニアアミド、モノエタノールアミド、ジエタノールアミド、及びイソプロパノールアミドである。
【００４８】
カチオン性界面活性剤
組成物に存在する場合、カチオン性界面活性剤は、有効量で、より好ましくは液体洗剤組成物の０．１重量％〜２０重量％で存在する。好適なカチオン性界面活性剤は、第四級アンモニウム界面活性剤である。好適な第四級アンモニウム界面活性剤は、モノＣ6〜Ｃ16、好ましくはＣ6〜Ｃ10Ｎ−アルキル又はアルケニルアンモニウム界面活性剤からなる群から選択され、残りのＮ位はメチル、ヒドロキシエチル（hydroxyehthyl）、又はヒドロキシプロピル基によって置換される。別の好ましいカチオン性界面活性剤は、第四級クロリンエステルのような、第四級アンモニウムアルコールのＣ6〜Ｃ18アルキル又はアルケニルエステルである。より好ましくは、カチオン性界面活性剤は、式（Ｖ）を有する。
【００４９】
【化５】
0005555182.tif 000006
式中、式（Ｖ）のＲ１は、Ｃ8〜Ｃ18ヒドロカルビル及びこれらの混合物、好ましくはＣ8〜14アルキル、より好ましくはＣ8、Ｃ10又はＣ12のアルキルであり、式（Ｖ）のＸは、アニオン、好ましくは塩化物又は臭化物である。
【００５０】
アミンオキシド界面活性剤
液体洗剤組成物の好ましい成分は、アミンオキシド界面活性剤であり、それは本明細書において典型的には液体洗剤組成物の０．１重量％〜１５重量％、好ましくは３．０重量％〜１０重量％の濃度で含まれていてもよい。アミンオキシドは、直鎖又は中分枝状（mid-branched）アルキル部分を有し得る。
【００５１】
本明細書で任意に用いられる直鎖アミンオキシドには、１つのＣ8〜18アルキル部分と、Ｃ1〜3アルキル基及びＣ1〜3ヒドロキシアルキル基からなる群から選択される２つの部分とを含有する水溶性アミンオキシド、１つのＣ10〜18アルキル部分と、Ｃ1〜3アルキル基及びＣ1〜3ヒドロキシアルキル基からなる群から選択される２つの部分とを含有する水溶性ホスフィンオキシド、並びに１つのＣ10〜18アルキル部分と、Ｃ1〜3アルキル及びＣ1〜3ヒドロキシアルキル部分からなる群から選択される１つの部分とを含有する水溶性スルホキシドが挙げられる。
【００５２】
好ましいアミンオキシド界面活性剤は、式（ＶＩ）を有する。
【００５３】
【化６】
0005555182.tif 000007
式中、式（ＶＩ）のＲ3は、直鎖Ｃ8〜22アルキル、直鎖Ｃ8〜22ヒドロキシアルキル、Ｃ8〜22アルキルフェニル基、及びこれらの混合物であり、式（ＶＩ）のＲ4は、Ｃ2〜3アルキレン若しくはＣ2〜3ヒドロキシアルキレン基、又はこれらの混合物であり、ｘは０〜約３であり、式（ＶＩ）の各Ｒ5ハ、Ｃ1〜3アルキル若しくはＣ1〜3ヒドロキシアルキル基、又は平均で約１〜約３個のエチレンオキシド基を含有するポリエチレンオキシド基である。式（ＶＩ）のＲ5基は、例えば酸素又は窒素原子を介して互いに結合して、環状構造を形成してもよい。
【００５４】
直鎖アミンオキシド界面活性剤は、特に、直鎖Ｃ10〜Ｃ18アルキルジメチルアミンオキシド及び直鎖Ｃ8〜Ｃ12アルコキシエチルジヒドロキシエチルアミンオキシドを含み得る。好ましいアミンオキシドには、直鎖Ｃ10、直鎖Ｃ10〜Ｃ12、及び直鎖Ｃ12〜Ｃ14アルキルジメチルアミンオキシドが挙げられる。
【００５５】
本明細書で使用するとき、「中分枝状（mid-branched）」とは、アミンオキシドが、ｎ1の炭素原子を有する１つのアルキル部分を有し、アルキル部分の１つのアルキル分枝が、ｎ2の炭素原子を有することを意味する。アルキル分枝は、アルキル部分の窒素からのα炭素に位置する。アミンオキシドのこの種類の分枝は、内在アミンオキシドとしても当該技術分野において知られている。ｎ1とｎ2の総合計は、１０〜２４個の炭素原子、好ましくは１２〜２０個、より好ましくは１０〜１６個である。１つのアルキル部分に対する炭素原子の数（ｎ1）は、１つのアルキル分枝（ｎ2）とおよそ同数の炭素原子であって、その１つのアルキル部分と１つのアルキル分枝とが対称となるようにされるべきである。本明細書で使用するとき、「対称」は、本明細書で用いられる中分枝状アミンオキシドの少なくとも５０重量％、より好ましくは少なくとも７５重量％〜１００重量％で、｜ｎ1−ｎ2｜が５個以下、好ましくは４個、最も好ましくは０〜４個の炭素原子であることを意味する。
【００５６】
アミンオキシドは、Ｃ1〜3アルキル、Ｃ1〜3ヒドロキシアルキル基、又は平均で約１〜約３個のエチレンオキシド基を含有するポリエチレンオキシド基から独立に選択される２つの部分を更に含む。好ましくは、２つの部分は、Ｃ1〜3アルキルから選択され、より好ましくは、両方がＣ1アルキルとして選択される。
【００５７】
両性界面活性剤
本発明において任意である、他の好適な両性洗剤界面活性剤の非限定例としては、アミドプロピルベタイン及び脂肪族又は複素環式二級及び三級アミンの誘導体が挙げられ、そこで脂肪族部分は直鎖又は分枝状であることができ、脂肪族置換基の１つは、８〜２４個の炭素原子を含有し、少なくとも１つの脂肪族置換基はアニオン性水溶性基を含有する。典型的には、両性界面活性剤は、存在する場合、液体洗剤組成物の０．０１重量％〜２０重量％、好ましくは０．５重量％〜１０重量％をなす。
【００５８】
マグネシウムイオン
任意に存在するマグネシウムイオンは、二価イオンをほとんど含有しない軟水中でその組成物が使用されるときに、洗剤組成物中で使用されてもよい。使用される場合、マグネシウムイオンは、好ましくは水酸化物、塩化物、酢酸塩、硫酸塩、蟻酸塩、酸化物又は硝酸塩として、本発明の組成物に添加される。含まれる場合、マグネシウムイオンは、液体洗剤組成物の０．０１重量％〜１．５重量％、好ましくは０．０１５重量％〜１重量％、より好ましくは０．０２５重量％〜０．５重量％の活性レベルで存在する。
【００５９】
溶媒
本組成物は、任意に溶媒を含んでもよい。好適な溶媒には、Ｃ4〜14エーテル及びジエーテル、グリコール、アルコキシル化グリコール、Ｃ6〜Ｃ16グリコールエーテル、アルコキシル化芳香族アルコール、芳香族アルコール、脂肪族分枝状アルコール、アルコキシル化脂肪族分枝状アルコール、アルコキシル化直鎖Ｃ1〜Ｃ5アルコール、直鎖Ｃ1〜Ｃ5アルコール、アミン、Ｃ8〜Ｃ14アルキル及びシクロアルキル炭化水素及びハロ炭化水素、並びにこれらの混合物が挙げられる。存在する場合、液体洗剤組成物は、液体洗剤組成物の０．０１重量％〜２０重量％、好ましくは０．５重量％〜２０重量％、より好ましくは１重量％〜１０重量％の溶媒を含有する。これらの溶媒は、水のような水性液体キャリアと組み合わせて使用されてもよく、又はいずれの水性液体キャリアも存在させることなしに使用されてもよい。
【００６０】
ヒドロトロープ
本発明の液体洗剤組成物は、液体洗剤組成物が水に適切に相溶するように、所望によりヒドロトロープを有効量で含んでもよい。本明細書で使用するのに好適なヒドロトロープには、アニオン型のヒドロトロープ、特にキシレンスルホン酸ナトリウム、キシレンスルホン酸カリウム、及びキシレンスルホン酸アンモニウム、トルエンスルホン酸ナトリウム、トルエンスルホン酸カリウム、及びトルエンスルホン酸アンモニウム、クメンスルホン酸ナトリウム、クメンスルホン酸カリウム、及びクメンスルホン酸アンモニウム、並びにこれらの混合物、並びに米国特許第３，９１５，９０３号に開示されている関連する化合物が挙げられる。本発明の液体洗剤組成物は、典型的には、液体洗剤組成物の０重量％〜１５重量％、好ましくは１重量％〜１０重量％、最も好ましくは３重量％〜６重量％のヒドロトロープ、又はその混合物を含む。
【００６１】
高分子泡安定剤
本発明の組成物は、高分子泡安定剤を任意に含有してもよい。これらの高分子泡安定剤は、液体洗剤組成物の起泡量及び起泡持続時間の増大をもたらす。これらの高分子泡安定剤は、（Ｎ，Ｎ−ジアルキルアミノ）アルキルエステル及び（Ｎ，Ｎ−ジアルキルアミノ）アルキルアクリレートエステルのホモポリマーから選択され得る。従来のゲル浸透クロマトグラフィーによって決定される高分子泡増進剤の重量平均分子量は、１，０００〜２，０００，０００、好ましくは５，０００〜１，０００，０００、より好ましくは１０，０００〜７５０，０００、より好ましくは２０，０００〜５００，０００、更により好ましくは３５，０００〜２００，０００である。高分子泡安定剤は任意に、無機又は有機の塩のいずれかの塩、例えば（Ｎ，Ｎ−ジメチルアミノ）アルキルアクリレートエステルのクエン酸塩、硫酸塩、又は硝酸塩の形態で存在できる。
【００６２】
１つの好ましい高分子泡安定剤は、（Ｎ，Ｎ−ジメチルアミノ）アルキルアクリレートエステル、すなわち、式（ＶＩＩ）で表されるアクリレートエステルである。
【００６３】
【化７】
0005555182.tif 000008
【００６４】
組成物に存在する場合、高分子泡増進剤は、液体洗剤組成物の０．０１重量％〜１５重量％、好ましくは０．０５重量％〜１０重量％、より好ましくは０．１重量％〜５重量％で組成物に存在してもよい。
【００６５】
ジアミン
本発明による組成物の別の任意成分は、ジアミンである。液体洗剤組成物のユーザーの習慣及びやり方は著しいばらつきを示すので、組成物は、好ましくは組成物の０重量％〜１５重量％、好ましくは０．１重量％〜１５重量％、好ましくは０．２重量％〜１０重量％、より好ましくは０．２５重量％〜６重量％、より好ましくは０．５重量％〜１．５重量％の、少なくとも１つのジアミンを含有する。
【００６６】
好ましい有機ジアミンは、ｐＫ１及びｐＫ２が８．０〜１１．５の範囲、好ましくは８．４〜１１の範囲、更により好ましくは８．６〜１０．７５の範囲であるものである。好ましい物質には、１，３−ビス（メチルアミン）−シクロヘキサン（ｐＫａ＝１０〜１０．５）、１，３−プロパンジアミン（ｐＫ１＝１０．５、ｐＫ２＝８．８）、１，６−ヘキサンジアミン（ｐＫ１＝１１、ｐＫ２＝１０）、１，３−ペンタンジアミン（ダイテックＥＰ（DYTEK EP）（登録商標））（ｐＫ１＝１０．５、ｐＫ２＝８．９）、２−メチル１，５−ペンタンジアミン（ダイテックＡ（登録商標））（ｐＫ１＝１１．２、ｐＫ２＝１０．０）が挙げられる。他の好ましい物質には、Ｃ4〜Ｃ8の範囲のアルキレンスペーサーを有する第一級／第一級ジアミンが挙げられる。一般に、第一級ジアミンは、第二級及び第三級ジアミンより好ましいと考えられている。
【００６７】
ｐＫ１及びｐＫ２の定義−本明細書で使用するとき、「ｐＫａ１」及び「ｐＫａ２」は、当業者には「ｐＫａ」という総称で知られている種類の分量であり、本明細書ではｐＫａは、化学技術分野において当業者に一般に既知のものと同様に使用される。本明細書で参照される値は、「臨界安定定数：第２巻、アミン（Critical Stability Constants: Volume 2, Amines）」（スミス（Smith）及びマーテル（Martel）、プレナム・プレス（Plenum Press）、ニューヨーク（NY）及びロンドン（London）、１９７５年））のような文献から得ることができる。ｐＫａに関する追加的な情報は、ジアミンの供給元であるデュポン（登録商標）（DUPONT）により供給される情報など、関連企業文献から得ることができる。本明細書で実用的な定義として、ジアミンのｐＫａは、２５℃の全水溶液において、イオン強度０．１〜０．５Ｍについて規定される。
【００６８】
カルボン酸
本発明による液体洗剤組成物は、組成物のすすぎの感触を向上させるために、直鎖若しくは環式カルボン酸又はその塩を含んでもよい。本明細書で有用なカルボン酸には、Ｃ1〜6直鎖又は少なくとも３個の炭素を含有する環状酸が挙げられる。カルボン酸又はその塩の直鎖若しくは環状炭素含有鎖は、ヒドロキシル、エステル、エーテル、１〜６個、より好ましくは１〜４個の炭素原子を有する脂肪族基、及びこれらの混合物からなる群から選択される置換基で置換されてもよい。
【００６９】
好ましいカルボン酸は、サリチル酸、マレイン酸、アセチルサリチル酸、３−メチルサリチル酸、４−ヒドロキシイソフタル酸、ジヒドロキシフマル酸、１，２，４ベンゼントリカルボン酸、ペンタン酸、及びこれらの塩、並びにこれらの混合物からなる群から選択されるものである。カルボン酸が塩の形態で存在する場合、塩のカチオンは、好ましくはアルカリ金属、アルカリ土類金属、モノエタノールアミン、ジエタノールアミン、又はトリエタノールアミン、及びこれらの混合物から選択される。
【００７０】
カルボン酸又はその塩は、存在する場合、好ましくは０．１％〜５％、より好ましくは０．２％〜１％、最も好ましくは０．２５％〜０．５％の濃度で存在させる。
【００７１】
好ましくは、本明細書の液体洗剤組成物は、透明な液体組成物として配合される。「透明な（clear）」とは、安定かつ透明（transparent）であることを意味する。透明な組成物を得るために、溶媒及びヒドロトロープを使用することは、軽質液体食器洗い組成物の技術分野に精通している者には周知である。本発明による好ましい液体洗剤組成物は、透明な単相液体であるが、本発明は、米国特許第５，８６６，５２９号（エリリ（Erilli）ら）、及び米国特許第６，３８０，１５０号（トゥーサン（Toussaint）ら）に記載されているビーズ又はパールのような分散相を含有する透明及び不透明な製品も、そのような製品が貯蔵時に物理的に安定である（すなわち、分離しない）のであれば、包含する。
【００７２】
本発明の液体洗剤組成物は、使用のために液体洗剤組成物を供給するためのいかなる好適なパッケージ内に包装されてもよい。好ましくは、パッケージは、ガラス又はプラスチック製の透明なパッケージである。
【００７３】
他の任意成分
本明細書の液体洗剤組成物は、香料、染料、乳白剤、酵素、キレート剤、増粘剤及び本明細書の液体洗剤組成物が一般に４〜１４、好ましくは６〜１３、最も好ましくは６〜１０のｐＨを有するようにするためのｐＨ緩衝手段などの、液体洗剤組成物中で使用するのに好適な多くの他の任意成分を更に含むことができる。軽質液体洗剤組成物の使用に好適な許容できる任意成分の更なる記載を、米国特許第５，７９８，５０５号に見出すことができる。
【００７４】
食器類の洗浄／処理プロセス
このプロセスは一般に、この組成物を典型的には希釈又は非希釈形態にて食器類に適用する工程と、すすぐ工程又は表面をすすがずにこの表面上の組成物を乾燥させる工程とを含む。
【００７５】
「非希釈形態」とは、本明細書において、適用前（直前）にユーザーによって希釈されることなく、前述の液体組成物を処理されるべき表面に直接適用することを意味する。「希釈形態」とは、本明細書において、前述の液体組成物を、適切な溶媒、典型的には水でユーザーが希釈することを意味する。本明細書では「すすぐ」とは、本明細書の液体組成物を前述の食器類に適用する工程の後、本発明に従うプロセスで洗浄される食器類と、かなりの量の適切な溶媒、典型的には水とを接触させることを意味する。「かなりの量」とは、普通は５〜２０リットルを意味する。
【００７６】
一実施形態では、本明細書の組成物は、希釈形態にて適用できる。汚れた食器を、有効量、典型的には（処理される食器２５個あたり）０．５ｍＬ〜２０ｍＬ、好ましくは３ｍＬ〜１０ｍＬの、水で希釈された本発明の液体洗剤組成物と接触させる。使用される液体洗剤組成物の実際の量は、ユーザーの判断に基づき、典型的には、組成物中の活性成分の濃度を含む組成物の特定の製品処方、清浄される汚れた食器類の数、食器類の汚れの程度などのような要因に左右されることになる。また、特定の製品処方は、意図される市場（すなわち、米国、ヨーロッパ、日本など）のような、組成物製品に関する多数の要因に左右されることになる。好適な例は、以下の表Ａに見ることができる。
【００７７】
一般に、０．０１ｍＬ〜１５０ｍＬ、好ましくは３ｍＬ〜４０ｍＬの本発明の液体洗剤組成物が、１０００ｍＬ〜２００００ｍＬ、より典型的には５０００ｍＬ〜１５０００ｍＬの範囲の容積を有するシンクの中の、２０００ｍＬ〜２００００ｍＬ、より典型的には５０００ｍＬ〜１５０００ｍＬの水と組み合わされる。こうして得られる希釈組成物の入ったシンク内に汚れた食器を浸して、食器の汚れた表面を、布、スポンジ、又は類似の物品と接触させて食器を清浄する。布、スポンジ、又は類似の物品は、食器表面と接触する前に洗剤組成物と水との混合物に浸漬されてもよく、典型的には、１〜１０秒間の範囲の時間にわたって食器表面と接触するが、実際の時間は、各適用及びユーザーによって異なる。布、スポンジ、又は同様の物品を食器表面に接触させることは、好ましくは同時に食器表面を擦ることを伴う。
【００７８】
別の方法は、液体食器洗い洗剤なしで、汚れた食器類を水浴中に浸漬するか、又は流水下に保持することを含む。スポンジのような、液体食器洗い洗剤を吸収する道具は、別の分量の非希釈の液体食器洗い組成物中に、典型的には１〜５秒間の範囲の時間にわたって、直接入れられる。次に吸収道具、ひいては非希釈の液体食器洗い組成物が、汚れた食器類のそれぞれの表面に個々に接触して、汚れを除去する。吸収道具と、典型的には、１〜１０秒間の範囲の時間にわたってそれぞれの食器表面と接触させるが、実際の適用時間は、食器の汚れの程度などの要因に左右されることになる。吸収道具を食器表面に接触させることは、好ましくは同時に擦ることを伴う。
【実施例】
【００７９】
【表１】
0005555182.tif 000009
１：平均ｘ＝０．５〜３のエトキシ基を含有するＣ12〜13アルキルエトキシスルホネート
２：非イオン性物質は、８〜９のエトキシを含有するＣ10〜11アルキルエトキシル化界面活性剤である。
３：１，３，ＢＡＣは、１，３−ビス（メチルアミン）−シクロヘキサンである。
４：（Ｎ，Ｎ−ジメチルアミノ）エチルメタクリレートホモポリマー
５：ヒドロキシプロピルメチルセルロース：２３，０００のＭｎを有するメトセル（Methocell）Ｅ５０  ＰＶＣ
６：ポリエチレンイミン主鎖（ＮＨ）の窒素あたり７〜１０のエトキシ部分（ＥＯ）及び０〜７のプロポキシ部分（ＰＯ）を有するアルコキシル化ポリエチレンイミンポリマー、ＰＥＩ６００又はＰＥＩ５０００
７：得られたポリマーの５４重量％〜６０重量％の酢酸ビニル、任意に４０重量％の加水分解されたエステル連結を用いて７０℃でグラフト化された６，０００〜１２，０００ｇ／モルＭｗのポリエチレングリコール主鎖
【００８０】
本明細書に開示されている寸法及び値は、列挙した正確な数値に厳しく制限されるものとして理解すべきではない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。